(57)【特許請求の範囲】
【請求項１】
第１方向に延在する複数の走査線と、
前記第１方向に交差する第２方向に延在する複数のデータ線と、
前記複数の走査線と前記複数のデータ線との交差に対応して配置された複数の単位回路と、
前記複数の走査線の各々に対をなして前記第１方向に延在する複数の基準信号線と、
前記複数の走査線の各々を第１期間毎に順次に選択する走査線駆動回路と、
前記各第１期間において前記複数のデータ線の各々にデータ電位を供給するデータ線駆動回路と、
前記複数の基準信号線の各々に相異なる基準信号を出力する信号生成回路とを具備し、
前記複数の単位回路の各々は、
駆動電流の供給によって駆動される電気光学素子と、
入力端と前記電気光学素子に接続された出力端とを含み、前記入力端の電位が所定の電位を下回るときに前記出力端から前記電気光学素子に前記駆動電流を出力し、前記入力端の電位が前記所定の電位を上回るときに前記駆動電流の出力を停止するインバータと、
当該単位回路に対応した前記走査線が選択される第１期間において前記インバータの入力端と当該単位回路に対応する前記データ線とを電気的に接続するスイッチング素子と、
前記入力端に接続された第１電極と当該単位回路に対応する前記基準信号線に接続された第２電極とを有する容量素子とを含み、
前記信号生成回路は、前記複数の基準信号線の各々に出力する基準信号の電位を、
当該基準信号線に対応した前記走査線が選択される第１期間において定電位に維持し、
前記各基準信号線に対応する前記走査線の選択の順番で順次に到来するように前記基準信号毎に時間軸上の相異なる位置に設定された第２期間において経時的に変化させる
電気光学装置。
【請求項２】
前記複数の単位回路の各々は、当該単位回路に対応した前記走査線が選択される第１期間に先立って前記インバータの入力端を所定の電位に設定するリセット手段を含む
請求項１の電気光学装置。
【請求項３】
請求項１または請求項２に記載の電気光学装置を備えた電子機器。
【発明の詳細な説明】
【技術分野】
【０００１】
本発明は、有機発光ダイオード（以下「ＯＬＥＤ（Organic Light Emitting Diode）」という）素子、液晶素子、電気泳動素子、エレクトロクロミック（electrochromic）素子、電子放出素子、抵抗素子など各種の被駆動素子の挙動を制御する技術に関する。
【背景技術】
【０００２】
この種の被駆動素子を駆動するための様々な方法が従来から提案されている。例えば特許文献１には、各画素のＯＬＥＤ素子に供給される駆動信号（例えば電流信号）のパルス幅を制御することによって多階調を表示する構成が開示されている。この構成においては、各画素の階調を指定するデータ信号と三角波など経時的にレベルが変化する信号（以下「基準信号」という）との比較の結果に応じて駆動信号のパルス幅が画素ごとに制御される。
【特許文献１】特開２００３−２２３１３７号公報（段落００１４および図２）
【発明の開示】
【発明が解決しようとする課題】
【０００３】
ところで、特許文献１に開示された構成においては、１フレームが走査期間と発光期間とに区分され、走査期間において総ての画素にデータ信号が供給されたうえで、発光期間における基準信号の供給によって総ての画素のＯＬＥＤ素子が一斉に駆動される（特に特許文献１の図２参照）。このように１フレーム内に走査期間と発光期間とが別個に設定される構成においては、例えば、発光期間の時間長を充分に確保することが困難であるという問題がある。そして、発光期間の時間長が不十分であると各ＯＬＥＤ素子の輝度が不足して表示が暗くなる場合がある。さらに、発光期間の時間長が短いと駆動信号のパルス幅（特に低輝度に対応したパルス幅）を短くせざるを得ない。しかしながら、特にＯＬＥＤ素子などの電気光学素子は、短期間における電流の集中（例えばスパイク状の電流の供給）によって特性の劣化が進行する場合がある。
【０００４】
また、特許文献１の構成においては、データ信号が容量素子の一方の電極に供給される。この構成においては、データ信号の供給時における容量素子の他方の電極の電位を正確に設定するために時間を要する場合がある。本発明は、以上に説明した事情に鑑みてなされたものである。
【課題を解決するための手段】
【０００７】
本発明の電気光学装置は、第１方向に延在する複数の走査線と、前記第１方向に交差する第２方向に延在する複数のデータ線と、前記複数の走査線と前記複数のデータ線との交差に対応して配置された複数の単位回路と、前記複数の走査線の各々に対をなして前記第１方向に延在する複数の基準信号線と、前記複数の走査線の各々を第１期間毎に順次に選択する走査線駆動回路と、前記各第１期間において前記複数のデータ線の各々にデータ電位を供給するデータ線駆動回路と、前記複数の基準信号線の各々に相異なる基準信号を出力する信号生成回路とを具備し、前記複数の単位回路の各々は、駆動電流の供給によって駆動される電気光学素子と、入力端と前記電気光学素子に接続された出力端とを含み、前記入力端の電位が所定の電位を下回るときに前記出力端から前記電気光学素子に前記駆動電流を出力し、前記入力端の電位が前記所定の電位を上回るときに前記駆動電流の出力を停止するインバータと、当該単位回路に対応した前記走査線が選択される第１期間において前記インバータの入力端と当該単位回路に対応する前記データ線とを電気的に接続するスイッチング素子と、前記入力端に接続された第１電極と当該単位回路に対応する前記基準信号線に接続された第２電極とを有する容量素子とを含み、前記信号生成回路は、前記複数の基準信号線の各々に出力する基準信号の電位を、当該基準信号線に対応した前記走査線が選択される第１期間において定電位に維持し、前記各基準信号線に対応する前記走査線の選択の順番で順次に到来するように前記基準信号毎に時間軸上の相異なる位置に設定された第２期間において経時的に変化させる。電気光学素子は、駆動電流の供給によって輝度や透過率といった光学的な性状が変化する素子（例えばＯＬＥＤ素子などの発光素子）である。
【０００８】
この構成においては、第１期間においてインバータの入力端にスイッチング素子を介してデータ電位が供給され、この第１期間の経過後の第２期間において基準信号の電位が経時的に変化すると、容量素子における容量カップリングによって、入力端の電位がその直前の第１期間におけるデータ電位から基準信号の電位の変動分だけ変化する。したがって、入力端の電位に応じた長さの期間にて駆動電流が供給されることで、電気光学素子はデータ電位に応じた状態に駆動される。
ここで、基準信号の電位が経時的に変化する第２期間は基準信号線ごとに個別に設定されて相互にタイミングが相違する。したがって、第１期間において一の単位回路のデータ電位が取り込まれると、他の単位回路に対するデータ電位の取り込みを待つことなく当該一の単位回路の電気光学素子が順次に駆動される。例えば、データ電位の取り込みが完了した単位回路から順番に電気光学素子が駆動される。したがって、本発明によれば、総ての単位回路にデータ電位を取り込む期間と総てのＯＬＥＤ素子を一斉に発光させる期間とが別個に設定された従来の構成と比較して、各単位回路の電気光学素子が駆動される期間を充分に確保することができる。
【００１２】
基準信号線の電位は、第１期間では第１電位に設定され、第２期間の開始時には第１電位であり、第２期間にて第１電位とは異なる電圧レベルを有する第２電位となり、第２期間の終了時に第１電位となる。さらに詳細には、第２期間内における基準信号線の電位の変化は、第２電位となった時点を中点として線対称である。つまり、基準信号は、第２期間の始点と終点との中点（例えば図２や図４の中点ｔc）を基準として線対称な波形（典型的には三角波）とされる。
この態様によれば、電気光学素子が実際に駆動される期間（例えば電気光学素子が発光する期間）の時間軸上の重心をデータ電位に依らず第２期間の中点とすることができる。もっとも、基準信号線の電位の変化の態様（基準信号の波形）は厳密に線対称である必要はない。
【００１４】
さらに別の態様において、複数の単位回路の各々は、当該単位回路に対応した前記走査線が選択される第１期間に先立ってインバータの入力端を所定の電位に設定するリセット手段（例えば図５のトランジスタ３７）を含む。この態様によれば、第１期間に先立って入力端が所定の電位に初期化されるから、第１期間にて迅速かつ確実に入力端の電位をデータ電位に設定することが可能となる。
【００１５】
以上に説明した各態様の電気光学装置は様々な電子機器に利用される。この電子機器の典型例は、電気光学装置を表示装置として利用した機器である。この種の電子機器としては、パーソナルコンピュータや携帯電話機などがある。もっとも、本発明に係る電気光学装置の用途は画像の表示に限定されない。例えば、光線の照射によって感光体ドラムなどの像担持体に潜像を形成するための露光装置（露光ヘッド）としても本発明の電気光学装置を適用することができる。
【発明を実施するための最良の形態】
【００１８】
＜Ａ：第１実施形態＞
図１は、本発明の第１実施形態に係る電子装置の構成を示すブロック図である。同図に例示された電子装置Ｄは、画像を表示するための手段として種々の電子機器に採用される電気光学装置であり、複数の単位回路Ｕが面状に配列された素子アレイ部１０と、各単位回路Ｕを駆動するための回路（走査線駆動回路２３・データ線駆動回路２５・信号生成回路２７）とを含む。なお、走査線駆動回路２３とデータ線駆動回路２５と信号生成回路２７とは、各々が独立の回路として電子装置Ｄに実装されてもよいし、これらの回路の一部または全部が単一の回路として電子装置Ｄに実装されてもよい。
【００１９】
図１に示すように、素子アレイ部１０には、Ｘ方向に延在するｍ本の走査線１３と、各走査線１３に対をなしてＸ方向に延在するｍ本の基準信号線１７と、Ｘ方向に直交するＹ方向に延在するｎ本のデータ線１５とが形成される（ｍおよびｎはともに自然数）。各単位回路Ｕは、走査線１３および基準信号線１７の対とデータ線１５との交差に対応する位置に配置される。したがって、これらの単位回路Ｕは縦ｍ行×横ｎ列のマトリクス状に配列する。
【００２０】
走査線駆動回路２３は、ｍ本の走査線１３の各々を順番に選択するための回路である。さらに詳述すると、走査線駆動回路２３は、図２に示すように、フレーム（１Ｆ）ごとに設定される所定の期間（以下「第１期間」という）Ｐa[1]ないしＰa[m]の各々にて順番にハイレベルとなる走査信号Ｙ[1]ないしＹ[m]を生成して各走査線１３に出力する。第ｉ行目（ｉは１≦ｉ≦ｍを満たす整数）の走査線１３に供給される走査信号Ｙ[i]は、１フレーム（１Ｆ）のうち第ｉ番目の第１期間Ｐa[i]にてハイレベルとなり、それ以外の期間においてローレベルを維持する信号である。走査信号Ｙ[i]のハイレベルへの遷移は第ｉ行の選択を意味する。
【００２１】
図１のデータ線駆動回路２５は、走査線駆動回路２３が選択した走査線１３に対応する１行分（ｎ個）の単位回路Ｕの各々に各データ線１５を介してデータ信号Ｘ[1]ないしＸ[n]を供給する。第ｉ行の走査線１３が選択される第１期間Ｐa[i]にて第ｊ列目（ｊは１≦ｊ≦ｎを満たす整数）のデータ線１５に供給されるデータ信号Ｘ[j]は、第ｉ行に属する第ｊ列目の単位回路Ｕに指定された階調（輝度）に対応する電位Ｖdataとなる。各単位回路Ｕの階調は、外部から供給される階調データによって指定される。
【００２２】
信号生成回路２７は、基準信号Ｗ[1]ないしＷ[m]を生成してｍ本の基準信号線１７の各々に出力する回路である。図２に示すように、基準信号Ｗ[i]は、走査信号Ｙ[i]がハイレベルとなる第１期間Ｐa[i]の始点から終点まで電位ＶHを維持し、この第１期間Ｐa[i]の経過後の所定の期間（以下「第２期間」という）Ｐb[i]の始点から終点までにわたって経時的に電位が変動する信号である。
【００２３】
本実施形態における基準信号Ｗ[i]は、第２期間Ｐb[i]の中点ｔc（すなわち第２期間Ｐb[i]の始点および終点の双方から同じ時間長の時点）から始点までの波形と中点ｔcから終点までの波形とが当該中点ｔcを基準として線対称となる三角波である。すなわち、基準信号Ｗ[i]は、第２期間Ｐb[i]の始点から当該第２期間Ｐb[i]の中点ｔcにかけて電位ＶHからこれよりも低位の電位ＶLまで時間の経過とともに低下していき、中点ｔcから終点にかけて電位ＶLから時間の経過とともに上昇して電位ＶHに到達する。
【００２４】
図２に示すように、基準信号Ｗ[1]ないしＷ[m]の各々は位相が相違する。すなわち、基準信号Ｗ[1]ないしＷ[m]が変動する第２期間Ｐb[1]ないしＰb[m]の各々の時機は基準信号線１７ごと（行ごと）に個別に設定されて互いに相違する。より具体的には、各基準信号線１７に供給される基準信号Ｗ[1]ないしＷ[m]に規定される第２期間Ｐb[1]ないしＰb[m]の各々は、当該基準信号線１７に対応する走査信号Ｙ[1]ないしＹ[m]の各々がハイレベルとなる順番で順次に到来する。したがって、図２に示すように、基準信号Ｗ[i]は、次行の走査信号Ｙ[i+1]のハイレベルへの遷移に並行して電位ＶHから電位ＶLまでの範囲内で変動する。
【００２５】
次に、図３を参照して、各単位回路Ｕの具体的な構成を説明する。なお、同図においては、第ｉ行の第ｊ列目に位置するひとつの単位回路Ｕのみが図示されているが、その他の単位回路Ｕも同様の構成である。
【００２６】
図３に示すように、単位回路Ｕは、トランジスタ３１と容量素子３３とインバータ３４と電気光学素子３５とを含む。電気光学素子３５は、有機ＥＬ材料からなる発光層を陽極と陰極との間に介在させたＯＬＥＤ素子であり、インバータ３４から出力される駆動電流Ｓdrの電流レベルに応じた輝度レベルで発光する。なお、輝度レベルの時間による積分値が輝度に相当する。
【００２７】
インバータ３４は、ｐチャネル型のトランジスタ３４１とｎチャネル型のトランジスタ３４２とを含む。トランジスタ３４１のソースは高位側の電源電位Ｖddが供給される電源線に接続される。ｎチャネル型のトランジスタ３４２のソースは低位側の電源電位（以下「接地電位」という）Ｖssが供給される接地線に接続される。トランジスタ３４１およびトランジスタ３４２の各々のドレインは電気光学素子３５の陽極に対して共通に接続される。さらに、トランジスタ３４１およびトランジスタ３４２の各々のゲートは入力端Ｔにて相互に接続される。
【００２８】
インバータ３４の入力端Ｔの電位Ｖaが所定の電位（以下では単に「閾値電圧」という）Ｖthを下回る場合には、トランジスタ３４１がオン状態となって駆動電流Ｓdrが電気光学素子３５に供給される。この駆動電流Ｓdrは電気光学素子３５を発光させる電流である。これに対し、電位Ｖaが閾値電圧Ｖthを上回る場合には、トランジスタ３４１がオフ状態となってトランジスタ３４２がオン状態になるから、電気光学素子３５に対する駆動電流Ｓdrの供給は停止する。
【００２９】
図３の容量素子３３は、インバータ３４の入力端Ｔに接続された第１電極Ｅ1と基準信号線１７に接続された第２電極Ｅ2とを含み、第１電極Ｅ1と第２電極Ｅ2との間に電荷を蓄積する。また、ｎチャネル型のトランジスタ３１は、インバータ３４の入力端Ｔとデータ線１５との間に介在して両者の電気的な接続（導通および非導通）を制御するスイッチング素子である。トランジスタ３１のゲートは走査線１３に接続される。したがって、走査信号Ｙ[i]がハイレベルとなる第１期間Ｐa[i]においてトランジスタ３１はオン状態となり、走査信号Ｙ[i]がローレベルを維持する期間においてトランジスタ３１はオフ状態となる。
【００３０】
次に、本実施形態に係る電子装置Ｄの具体的な動作を説明する。以下では、第ｉ行に属する第ｊ列目の単位回路Ｕの動作を第１期間Ｐa[i]と第２期間Ｐb[i]とに区分して説明する。
【００３１】
(a) 第１期間Ｐa[i]  
第１期間Ｐa[i]においては走査信号Ｙ[i]がハイレベルに遷移するから、トランジスタ３１がオン状態となって入力端Ｔとデータ線１５とが電気的に接続される。これによりインバータ３４の入力端Ｔにはデータ線１５からデータ信号Ｘ[j]の電位Ｖdataが供給され、この電位Ｖdataに応じた電荷が容量素子３３に保持される。図２に示したように容量素子３３の第２電極Ｅ2に供給される基準信号Ｗ[i]は第１期間Ｐa[i]において定電位（電位ＶH）を維持するから、入力端Ｔの電位Ｖaは単位回路Ｕの階調に応じた電位Ｖdataに保持される。
【００３２】
(b) 第２期間Ｐb[i]  
第１期間Ｐa[i]が経過して走査信号Ｙ[i]がローレベルになるとトランジスタ３１はオフ状態に遷移するから、入力端Ｔはデータ線１５から電気的に切り離されてフローティング状態となる。この状態は第２期間Ｐb[i]においても維持される。したがって、容量素子３３の第２電極Ｅ2に供給される基準信号Ｗ[i]が第２期間Ｐb[i]にて電位ＶHから電位ＶLまでの範囲内で変動すると、容量素子３３における容量カップリングによって、入力端Ｔの電位Ｖa（第１電極Ｅ1の電位）は直前の第１期間Ｐa[i]で設定された電位Ｖdataから基準信号Ｗ[i]の変化分だけ変動する。
【００３３】
図４は、入力端Ｔの電位Ｖaとインバータ３４から出力される駆動電流Ｓdrとの関係を示すタイミングチャートである。同図においては、単位回路Ｕに各階調（Ｇ0ないしＧ3）が指定されたときの電位Ｖaの波形が併記されている。また、同図の電位Ｖ0ないし電位Ｖ3は、各階調Ｇ0ないしＧ3の各々が指定されたときのデータ信号Ｘ[j]の電位Ｖdata（すなわち第１期間Ｐa[i]で設定された電位Ｖa）である。
【００３４】
図４に示すように、入力端Ｔの電位Ｖaは第２期間Ｐb[i]における基準信号Ｗ[i]の変動に伴なってΔＶ（＝ＶH−ＶL）だけ変化する。第２期間Ｐb[i]の始点において電位Ｖaは階調に応じた電位Ｖdataに設定されているから、第２期間Ｐb[i]のうち入力端Ｔの電位Ｖaがインバータ３４の閾値電圧Ｖthを下回る期間（以下「駆動期間」という）は、その直前の第１期間Ｐa[i]においてデータ線１５から供給された電位Ｖdataに応じた時間長となる。例えば、階調Ｇ1に対応する電位Ｖdata（Ｖ1）は階調Ｇ2に対応する電位Ｖdata（Ｖ2）よりも高位であるから、階調Ｇ2が指定されたときに電位Ｖaが閾値電圧Ｖthを下回る時間長は、階調Ｇ1が指定されたときに電位Ｖaが閾値電圧Ｖthを下回る時間長よりも長い。なお、階調Ｇ0が指定された場合に電位Ｖaは第２期間Ｐb[i]の全区間にわたって閾値電圧Ｖthを上回る。
【００３５】
入力端Ｔの電位Ｖaは以上のように変動するから、データ信号Ｘ[j]に応じた時間長（パルス幅）の駆動期間にて駆動電流Ｓdrがインバータ３４から電気光学素子３５に供給され、その残余の期間においては電気光学素子３５に対する駆動電流Ｓdrの供給が停止される。例えば、図４に示すように、階調Ｇ2が指定されたときに電気光学素子３５に駆動電流Ｓdrが供給される駆動期間は、階調Ｇ1が指定されたときに駆動電流Ｓdrが供給される駆動期間よりも長い。また、階調Ｇ0が指定された場合には第２期間Ｐb[i]の全区間にわたって電気光学素子３５に対する駆動電流Ｓdrの供給が停止される。電気光学素子３５は駆動電流Ｓdrの供給によって発光するから、本実施形態においてはデータ信号Ｘ[j]の電位Ｖdataに応じた時間密度で電気光学素子３５が発光することになる。これにより電気光学素子３５の階調が単位回路Ｕごとに制御される。
【００３６】
以上においてはひとつの単位回路Ｕの動作を説明したが、同様の動作が行単位で各単位回路Ｕにて実行される。より具体的には、図２に示したように、入力端Ｔに対する電位Ｖdataの供給（第１期間Ｐa[i]）と基準信号Ｗ[i]に応じた電位Ｖaの変動（第２期間Ｐb[i]）とが各行の単位回路Ｕごとに別個のタイミングで順次に実施される。したがって、第１期間Ｐa[i]にてひとつの単位回路Ｕにデータ信号Ｘ[j]が取り込まれると（すなわち入力端Ｔに電位Ｖdataが供給されると）、その他の各単位回路Ｕに対するデータ信号Ｘ[j]の取り込みを待つことなく電気光学素子３５が順次に駆動される。換言すると、データ信号Ｘ[j]の取り込みが完了した単位回路Ｕから順番に電気光学素子３５が発光していく。
【００３７】
以上に説明したように、本実施形態によれば、駆動電流Ｓdrの供給と停止とによって２値的に電気光学素子３５が駆動されるから、電気光学素子３５に供給される電流（あるいは電気光学素子３５に印加される電圧）を各階調に対応して段階的に制御する構成と比較して、電気光学素子３５やインバータ３４を構成するトランジスタの特性のバラツキの影響を低減することができる。さらに、本実施形態においては、容量素子３３の第２電極Ｅ2の電位が基準信号線１７によって直接的に設定されるから、容量素子３３の各電極の電位を短時間に設定することが可能である。
【００３８】
しかも、本実施形態によれば、総ての単位回路にデータ信号を供給する走査期間と総てのＯＬＥＤ素子を一斉に発光させる発光期間とが別個に設定される従来の構成と比較して、各電気光学素子３５が発光する期間を長期に確保することができる。したがって、各電気光学素子３５を充分な輝度に発光させることができる。また、従来の構成と比較して駆動電流Ｓdrのパルス幅を長く設定できるから、電気光学素子３５に対する瞬間的な電流の集中（スパイク状の電流の供給）を回避して電気光学素子３５の特性の劣化を抑制することが可能となる。
【００３９】
＜Ｂ：第２実施形態＞
次に、本発明の第２実施形態について説明する。なお、本実施形態のうち第１実施形態と同様の要素については共通の符号を付して各々の詳細な説明を適宜に省略する。
【００４０】
図５は、本実施形態に係る電子装置Ｄのひとつの単位回路Ｕの構成を示す回路図である。同図に示されるように、本実施形態の単位回路Ｕは、図３に例示した第１実施形態の構成にｎチャネル型のトランジスタ３７が追加された構成となっている。このトランジスタ３７は、インバータ３４の入力端Ｔと出力端との間に介在して両者の電気的な接続（導通および非導通）を制御するスイッチング素子である。
【００４１】
トランジスタ３７のゲートはリセット信号Ｒ[i]が供給される配線に接続される。リセット信号Ｒ[i]は、走査信号Ｙ[i]がハイレベルとなる第１期間Ｐa[i]の開始前の期間にてハイレベルとなり、それ以外の期間でローレベルを維持する信号である。すなわち、リセット信号Ｒ[1]ないしリセット信号Ｒ[m]は各行が選択される順番で順次にハイレベルとなる。
【００４２】
以上の構成において、リセット信号Ｒ[i]がハイレベルになると、トランジスタ３７がオン状態に遷移してインバータ３４の入力端Ｔと出力端とが電気的に接続される。したがって、インバータ３４の入力端Ｔおよび出力端の双方の電位は、電源電位Ｖddとｐチャネル型のトランジスタ３４１の閾値電圧Ｖth_Pとの差分値（Ｖdd−Ｖth_P）に収束する。このように第１期間Ｐa[i]に先立って入力端Ｔの電位Ｖaを所定値に設定することにより、第１期間Ｐa[i]において入力端Ｔの電位Ｖaを迅速かつ確実に電位Ｖdataに設定できるという利点がある。また、電気光学素子３５とインバータ３４の出力端との間の電位が所定値に初期化されるから、電気光学素子３５の応答に要する時間を複数の単位回路Ｕにわたって均一化することができる。
【００４３】
＜Ｃ：変形例＞
以上の各形態には様々な変形を加えることができる。具体的な変形の態様を例示すれば以下の通りである。なお、以下の各態様を適宜に組み合わせてもよい。
【００４４】
（１）変形例１  
各実施形態においては第２期間Ｐb[i]における基準信号Ｗ[i]が三角波とされた構成を例示したが、第２期間Ｐb[i]における基準信号Ｗ[i]の波形は適宜に変更される。例えば、各実施形態においては第２期間Ｐb[i]の中点ｔcを基準として波形が線対称となる基準信号Ｗ[i]を例示したが、本発明において基準信号Ｗ[i]の対称性は必須ではない。例えば、ランプ波や鋸歯波（鋸波）やマルチランプ波（階段波）など様々な波形が第２期間Ｐb[i]内の基準信号Ｗ[i]に適用される。また、電位が直線的に変化する波形だけでなく正弦波など曲線的に変化する波形を第２期間Ｐb[i]における基準信号Ｗ[i]に適用してもよい。
【００４５】
また、各実施形態においては基準信号Ｗ[i]が第２期間Ｐb[i]に三角波の１周期分の波形となる構成を例示したが、三角波や以上に例示したランプ波や鋸歯波など様々な単位波形の複数を第２期間Ｐb[i]内に連続させた波形（すなわち電位の上昇と下降とを複数回にわたって繰り返すように複数の単位波形を時間軸上に配列した波形）を基準信号Ｗ[i]に適用してもよい。このように、本発明においては、第２期間Ｐb[i]内で時間の経過とともに電位が変動する基準信号Ｗ[i]を、電気光学素子３５の駆動の形態や機能等に応じて適宜に選択することが可能である。
【００４６】
さらに、各実施形態においては、第２期間Ｐb[i]が開始すると入力端Ｔの電位Ｖaが第１期間Ｐa[i]における電位Ｖdataから変動し始める構成を例示したが、第２期間Ｐb[i]の始点および終点にて入力端Ｔの電位Ｖaが変動するように基準信号Ｗ[i]の波形を選定してもよい。例えば、図６に例示された基準信号Ｗ[i]を利用してもよい。同図の基準信号Ｗ[i]は、第２期間Ｐb[i]の始点にて変化量Ｖdだけ電位が上昇するとともに第２期間Ｐb[i]の終点にて変化量Ｖdだけ電位が下降し、かつ、第２期間Ｐb[i]の始点から終点までにわたって第１実施形態と同様に電圧ΔＶの範囲内で電位が下降および上昇する。入力端Ｔの電位Ｖaは、この基準信号Ｗ[i]の波形に応じて変動する。すなわち、図６に示すように、電位Ｖaは、第１に、第２期間Ｐb[i]の始点にて電位Ｖdataから変化量Ｖdだけ上昇し、第２に、始点から中点ｔcまでの区間で変化量ΔＶだけ下降するとともに中点ｔcから終点までの区間で変化量ΔＶだけ上昇し、第３に、第２期間Ｐb[i]の終点にてＶdだけ下降して電位Ｖdataとなる。この構成においても各実施形態と同様に、データ信号Ｘ[j]に応じた時間長にわたって駆動電流Ｓdrがインバータ３４から出力される。
【００４７】
（２）変形例２  
単位回路Ｕの具体的な構成は図３の例示に限定されない。例えば、各トランジスタの導電型は図３の例示から任意に変更される。また、各実施形態においてはインバータ３４の出力端と電気光学素子３５の陽極とが直接に接続された構成を例示したが、図７に示すように、インバータ３４の出力端にｎチャネル型のトランジスタ３９のゲートが接続された構成としてもよい。このトランジスタ３９は、駆動電流Ｓdrを生成するための手段であり、電源電位Ｖddが供給される電源線と電気光学素子３５の陽極との間に介挿される。トランジスタ３４１がオン状態となってインバータ３４から電源電位Ｖddが出力されると、トランジスタ３９はオン状態に遷移する。このとき電気光学素子３５には駆動電流Ｓdrが流れて発光する。これに対し、インバータ３４から接地電位Ｖssが出力されるとトランジスタ３９はオフ状態となるから、電流の供給が停止して電気光学素子３５は消灯する。この構成によっても各実施形態と同様の作用および効果が奏される。
【００４８】
また、駆動電流Ｓdrを出力するための手段（本発明における駆動手段）はインバータ３４に限定されない。例えば、図３・図５および図７のインバータ３４に代えて、入力端Ｔの電位Ｖaと所定の電位とを比較してその結果に応じた駆動電流Ｓdrを出力するコンパレータを設置してもよい。このコンパレータは、例えば、電位Ｖaが所定の電位を下回る場合には電源電位Ｖddを出力するとともに電位Ｖaが所定の電位を上回る場合には接地電位Ｖssを出力する。この構成によっても各実施形態と同様の作用および効果が奏される。また、電気光学素子３５に供給される信号は電流信号（各実施形態に例示した駆動電流Ｓdr）であってもよいし電圧信号であってもよい。以上に説明したように、本発明における駆動手段は、入力端Ｔの電位Ｖaに応じた（より具体的には電位Ｖaと所定の電位との大小に応じた）駆動信号（駆動電流Ｓdrや駆動電圧）を出力する要素であれば足り、その具体的な構成の如何は不問である。
【００４９】
（３）変形例３  
各実施形態においては、複数の走査線１３の各々に対応するように（すなわち各行ごとに）基準信号線１７が形成された構成を例示したが、走査線１３と基準信号線１７との対応の関係はこれに限定されない。例えば、ｍ本の走査線１３を所定本ごとに区分したグループの各々に対応するように基準信号線１７が形成され、各基準信号線１７がひとつのグループに属する各単位回路Ｕに接続された構成としてもよい。この構成においては、データ信号Ｘ[j]の取り込みは各行ごとに実行される一方、基準信号Ｗ[i]の変動による電気光学素子３５の駆動はグループごとに実行される。
【００５０】
（４）変形例４  
第２実施形態においては、第１期間Ｐa[i]に先立ってインバータ３４の入力端Ｔをその出力端に電気的に接続する構成を例示したが、インバータ３４の入力端Ｔの接続先は適宜に変更される。例えば、所定の電位に維持される配線とインバータ３４の入力端Ｔとの間にトランジスタ３７を介在させた構成とし、第１期間Ｐa[i]に先立ってトランジスタ３７をオン状態とすることによってインバータ３４の入力端Ｔを所定の電位に初期化する構成としてもよい。
【００５１】
（５）変形例５  
以上の形態においては電気光学素子３５としてＯＬＥＤ素子を例示したが、本発明の電子装置に採用される電気光学素子はこれに限定されない。例えば、ＯＬＥＤ素子に代えて、無機ＥＬ素子や、フィールド・エミッション（ＦＥ）素子、表面導電型エミッション（ＳＥ：Surface-conduction  Electron-emitter）素子、弾道電子放出（ＢＳ：Ballistic  electron  Surface  emitting）素子、ＬＥＤ（Light  Emitting  Diode）素子といった様々な自発光素子、さらには電気泳動素子やエレクトロ・クロミック素子など様々な電気光学素子を利用することができる。また、本発明は、バイオチップなどのセンシング装置にも適用される。本発明の被駆動素子とは、電気エネルギの付与によって駆動される総ての要素を含む概念であり、発光素子などの電気光学素子は被駆動素子の例示に過ぎない。
【００５２】
＜Ｄ：応用例＞
次に、本発明に係る電子装置（電気光学装置）を利用した電子機器について説明する。図８は、以上に説明した何れかの形態に係る電子装置Ｄを表示装置として採用したモバイル型のパーソナルコンピュータの構成を示す斜視図である。パーソナルコンピュータ２０００は、表示装置としての電子装置Ｄと本体部２０１０とを備える。本体部２０１０には、電源スイッチ２００１およびキーボード２００２が設けられている。この電子装置Ｄは電気光学素子３５にＯＬＥＤ素子を利用しているので、視野角が広く見易い画面を表示できる。
【００５３】
図９に、実施形態に係る電子装置Ｄを適用した携帯電話機の構成を示す。携帯電話機３０００は、複数の操作ボタン３００１およびスクロールボタン３００２、ならびに表示装置としての電子装置Ｄを備える。スクロールボタン３００２を操作することによって、電子装置Ｄに表示される画面がスクロールされる。
【００５４】
図１０に、実施形態に係る電子装置Ｄを適用した携帯情報端末（ＰＤＡ：Personal Digital Assistants）の構成を示す。情報携帯端末４０００は、複数の操作ボタン４００１および電源スイッチ４００２、ならびに表示装置としての電子装置Ｄを備える。電源スイッチ４００２を操作すると、住所録やスケジュール帳といった各種の情報が電子装置Ｄに表示される。
【００５５】
なお、本発明に係る電子装置（電気光学装置）が適用される電子機器としては、図８から図１０に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電子装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電子装置は利用される。本発明にいう単位回路とは、表示装置の画素を構成する回路（いわゆる画素回路）のほか、画像形成装置における露光の単位となる回路をも含む概念である。
【図面の簡単な説明】
【００５６】
【図１】本発明の第１実施形態に係る電子装置の構成を示すブロック図である。
【図２】走査信号Ｙ[i]および基準信号Ｗ[i]の波形を示すタイミングチャートである。
【図３】ひとつの単位回路の構成を示す回路図である。
【図４】電位Ｖaと駆動電流Ｓdrとの関係を示すタイミングチャートである。
【図５】本発明の第２実施形態の電子装置におけるひとつの単位回路の構成を示す回路図である。
【図６】変形例に係る基準信号Ｗ[i]の波形を示すタイミングチャートである。
【図７】変形例に係る単位回路の構成を示す回路図である。
【図８】本発明に係る電子機器の具体的な形態を示す斜視図である。
【図９】本発明に係る電子機器の具体的な形態を示す斜視図である。
【図１０】本発明に係る電子機器の具体的な形態を示す斜視図である。
【符号の説明】
【００５７】
Ｄ……電子装置、１０……素子アレイ部、１３……走査線、１５……データ線、１７……基準信号線、２３……走査線駆動回路、２５……データ線駆動回路、２７……信号生成回路、３７……トランジスタ、３３……容量素子、３４……インバータ、Ｔ……インバータの入力端、３５……電気光学素子、Ｙ[i]……走査信号、Ｘ[j]……データ信号、Ｖdata……データ信号の電位、Ｗ[i]……基準信号、Ｓdr……駆動電流、Ｖa……インバータの入力端の電位。
【図１】
0004655800.tif 000002
【図２】
0004655800.tif 000003
【図３】
0004655800.tif 000004
【図４】
0004655800.tif 000005
【図５】
0004655800.tif 000006
【図６】
0004655800.tif 000007
【図７】
0004655800.tif 000008
【図８】
0004655800.tif 000009
【図９】
0004655800.tif 000010
【図１０】
0004655800.tif 000011